【手続補正書】
【提出日】平成18年12月1日(2006.12.1)
【手続補正１】
【補正対象書類名】明細書
【補正対象項目名】特許請求の範囲
【補正方法】変更
【補正の内容】
【特許請求の範囲】
【請求項１】
次式（Ａ−１−ａ）および／または（Ａ−１−ｂ）
【化１】
2000226369.tif 000001
で表される基を５ないし８５％、ならびに次式（Ａ−２）
【化２】
2000226369.tif 000002
で表される基を１５ないし９５％含み、該基（Ａ−１−ａ）、（Ａ−１−ｂ）および（Ａ−２）の総計が１００％となる生成物。
【請求項２】
下記ａ）に定義される式（Ｉ）、下記ｂ）に定義される式（ＩＩ）、下記ｃ）に定義される式（Ｖ）、下記ｄ）に定義される式（ＶＩ）、下記ｅ）に定義される式（ＶＩＩ）、下記ｆ）に定義される反応生成物に相当するか、あるいは下記ｇ）に定義される式（ＩＸ）、下記ｈ）に定義される式（Ｘ）、下記ｉ）に定義される式（ＸＩ）、下記ｊ）に定義される式（ＸＩＩ）、下記ｋ）に定義される式（ＸＩＩＩ）、下記ｌ）に定義される式（ＸＩＶ）、下記ｍ）に定義される式（ＸＶＩ）、下記ｎ）に定義される式（ＸＶＩＩ）、
下記ｏ）に定義される式（ＸＶＩＩＩ）または下記ｐ）に定義される式（ＸＩＸ）に相当する請求項１記載の生成物；
ａ）次式
【化３】
2000226369.tif 000003
（式中、基Ｒ1は互いに独立して水素原子、炭素原子数１ないし８のアルキル基または炭素原子数１ないし２０のアシル基を表し、基Ｒ1の総計の５ないし８５％は互いに独立して水素原子または炭素原子数１ないし８のアルキル基を表し、そして残りの基Ｒ1は炭素原子数１ないし２０のアシル基を表し；
ｎ1は２または４であり、ｎ1が２である場合、Ｒ2は炭素原子数１ないし１４のアルキレン基またはビス｛（炭素原子数１ないし２０のアルキル）オキシカルボニル｝炭素原子数４ないし１０のアルカンテトライル基を表し、そして
ｎ1が４である場合、Ｒ2は炭素原子数４ないし１０のアルカンテトライル基を表す。）で表される生成物の混合物；
ｂ）次式
【化４】
2000226369.tif 000004
〔式中、Ｒ3およびＲ7は互いに独立して水素原子または炭素原子数１ないし１２のアルキル基を表し、Ｒ4、Ｒ5およびＲ6は互いに独立して炭素原子数２ないし１０のアルキレン基を表し、そしてＸ1、Ｘ2、Ｘ3、Ｘ4、Ｘ5、Ｘ6、Ｘ7およびＸ8は互いに独立して次式（ＩＩＩ）
【化５】
2000226369.tif 000005
（式中、Ｒ8は水素原子、炭素原子数１ないし１２のアルキル基、炭素原子数５ないし１２のシクロアルキル基、炭素原子数１ないし４のアルキル−置換炭素原子数５ないし１２のシクロアルキル基、フェニル基、−ＯＨ−および／または炭素原子数１ないし１０のアルキル−置換フェニル基、炭素原子数７ないし９のフェニルアルキル基、フェニル基上で−ＯＨおよび／または炭素原子数１ないし１０のアルキル基により置換された炭素原子数７ないし９のフェニルアルキル基を表すか；または次式（ＩＶ）
【化６】
2000226369.tif 000006
で表される基を表し、そして基Ｒ9およびＲ10は互いに独立して水素原子、炭素原子数１ないし８のアルキル基または炭素原子数１ないし２０のアシル基を表し、基Ｒ9およびＲ10の総計の５ないし８５％は互いに独立して水素原子または炭素原子数１ないし８のアルキル基を表し、そして残りの基Ｒ9およびＲ10は炭素原子数１ないし２０のアシル基を表す。）で表される基を表す。〕で表される生成物の混合物；
ｃ）次式
【化７】
2000226369.tif 000007
（式中、Ｘ9、Ｘ10およびＸ11は互いに独立して式（ＩＩＩ）で表される基を表し、基Ｒ9およびＲ10の総計の５ないし８５％は互いに独立して水素原子または炭素原子数１ないし８のアルキル基を表し、そして残りの基Ｒ9およびＲ10は炭素原子数１ないし２０のアシル基を表す。）で表される生成物の混合物；
ｄ）
【化８】
2000226369.tif 000008
（式中、Ｒ11、Ｒ13、Ｒ14およびＲ15は互いに独立して水素原子、炭素原子数１ないし１２のアルキル基、炭素原子数５ないし１２のシクロアルキル基、炭素原子数１ないし４のアルキル−置換炭素原子数５ないし１２のシクロアルキル基、フェニル基、−ＯＨ−および／または炭素原子数１ないし１０のアルキル−置換フェニル基、炭素原子数７ないし９のフェニルアルキル基、フェニル基上で−ＯＨおよび／または炭素原子数１ないし１０のアルキル基により置換された炭素原子数７ないし９のフェニルアルキル基を表すか；または式（ＩＶ）で表される基を表し、
Ｒ12は炭素原子数２ないし１８のアルキレン基、炭素原子数５ないし７のシクロアルキレン基または炭素原子数１ないし４のアルキレンジ（炭素原子数５ないし７のシクロアルキレン）基を表すか、または基Ｒ11、Ｒ12およびＲ13はそれらが結合している窒素原子と一緒になって５−ないし１０−員複素環を形成するか、またはＲ14およびＲ15はそれらが結合している窒素原子と一緒になって５−ないし１０−員複素環を形成し、
ｎ2は２ないし５０の数であり、そして
基Ｒ11、Ｒ13、Ｒ14およびＲ15の少なくとも一つは式（ＩＶ）で表される基を表し、基Ｒ10の総計の５ないし８５％は互いに独立して水素原子または炭素原子数１ないし８のアル
キル基を表し、そして残りの基Ｒ10は炭素原子数１ないし２０のアシル基を表す。）；
ｅ）
【化９】
2000226369.tif 000009
（式中、Ｒ16は炭素原子数１ないし１０のアルキル基、炭素原子数５ないし１２のシクロアルキル基、炭素原子数１ないし４のアルキル−置換炭素原子数５ないし１２のシクロアルキル基、フェニル基または炭素原子数１ないし１０のアルキル−置換フェニル基を表し、
Ｒ17は炭素原子数３ないし１０のアルキレン基を表し、
基Ｒ18は互いに独立して水素原子、炭素原子数１ないし８のアルキル基または炭素原子数１ないし２０のアシル基を表し、基Ｒ18の５ないし８５％は互いに独立して水素原子または炭素原子数１ないし８のアルキル基を表し、そして残りの基Ｒ18は炭素原子数１ないし２０のアシル基を表し、そして
ｎ3は２ないし５０の数である。）；
ｆ）次式（ＶＩＩＩａ）
【化１０】
2000226369.tif 000010
（式中、ｎ’4、ｎ’’4およびｎ’’’4は互いに独立して２ないし１２の整数である。）で表されるポリアミンと塩化シアヌル間の反応により得られる化合物と、次式（ＶＩＩＩｂ）で表される化合物もしくは次式（ＶＩＩＩｂ）および（ＶＩＩＩｂ*）で表される化合物
【化１１】
2000226369.tif 000011
（式中、Ｒ19は水素原子、炭素原子数１ないし１２のアルキル基、炭素原子数５ないし１２のシクロアルキル基、フェニル基または炭素原子数７ないし９のフェニルアルキル基を表し、そしてＲ20は炭素原子数１ないし８のアルキル基を表す。）の混合物とを反応させて中間体を製造すること（ただし式（ＶＩＩＩｂ）および（ＶＩＩＩｂ*）で表される化合物の混合物には少なくとも１５％の式（ＶＩＩＩｂ）で表される化合物が存在する。）；
そして続いて上記中間体に存在する次式（Ａ−１−ａ）
【化１２】
2000226369.tif 000012
で表される基をある比率でアシル化して、式（Ａ−１−ａ）、次式（Ａ−１−ｂ）および（Ａ−２）
【化１３】
2000226369.tif 000013
の総計に関して、式（Ａ−２）で表される基を１５ないし９５％、ならびに式（Ａ−１−ａ）および／または（Ａ−１−ｂ）で表される基を５ないし８５％含む生成物を得ること；により得られる生成物；
ｇ）
【化１４】
2000226369.tif 000014
（式中、Ｒ21およびＲ26は互いに独立して直接結合または基−Ｎ（Ｙ1）−ＣＯ−Ｙ2−ＣＯ−Ｎ（Ｙ3）−を表し、Ｙ1およびＹ3は互いに独立して水素原子、炭素原子数１ないし８のアルキル基、炭素原子数５ないし１２のシクロアルキル基、フェニル基、炭素原子数７ないし９のフェニルアルキル基または式（ＩＶ）で表される基を表し、Ｙ2は直接結合または炭素原子数１ないし４のアルキレン基を表し、基Ｒ22は互いに独立して水素原子、炭素原子数１ないし８のアルキル基または炭素原子数１ないし２０のアシル基を表し、Ｒ23、Ｒ24、Ｒ27およびＲ28は互いに独立して水素原子、炭素原子数１ないし３０のアルキル基、炭素原子数５ないし１２のシクロアルキル基またはフェニル基を表し、Ｒ25は水素原子、炭素原子数１ないし３０のアルキル基、炭素原子数５ないし１２のシクロアルキル基、フェニル基、炭素原子数７ないし９のフェニルアルキル基または式（ＩＶ）で表される基を表し、基Ｒ10およびＲ22の総計の５ないし８５％は互いに独立して水素原子または炭素原子数１ないし８のアルキル基を表し、そして残りの基Ｒ10およびＲ22は炭素原子数１ないし２０のアシル基を表し、ｎ5は２ないし５０の数である。）；
ｈ）次式
【化１５】
2000226369.tif 000015
（式中、Ｒ29は水素原子、炭素原子数１ないし１２のアルキル基または炭素原子数１ないし１２のアルコキシ基を表し、そして基Ｒ30は互いに独立して水素原子、炭素原子数１ないし８のアルキル基または炭素原子数１ないし２０のアシル基を表し、基Ｒ30の総計の５ないし８５％は互いに独立して水素原子または炭素原子数１ないし８のアルキル基を表し、そして残りの基Ｒ30は炭素原子数１ないし２０のアシル基を表す。）で表される生成物の混合物；
ｉ）
【化１６】
2000226369.tif 000016
（式中、基Ｒ31は互いに独立して水素原子、炭素原子数１ないし８のアルキル基または炭素原子数１ないし２０のアシル基を表し、基Ｒ31の５ないし８５％は互いに独立して水素原子または炭素原子数１ないし８のアルキル基を表し、そして残りの基Ｒ31は炭素原子数１ないし２０のアシル基を表し、ｎ6は２ないし５０の数である。）；
ｊ）次式
【化１７】
2000226369.tif 000017
（式中、基Ｒ32は互いに独立して水素原子、炭素原子数１ないし８のアルキル基または炭素原子数１ないし２０のアシル基を表し、基Ｒ32の総計の５ないし８５％は互いに独立して水素原子または炭素原子数１ないし８のアルキル基を表し、そして残りの基Ｒ32は炭素原子数１ないし２０のアシル基を表し、
基Ｒ33は互いに独立して水素原子、炭素原子数１ないし１２のアルキル基または炭素原子数１ないし１２のアシル基を表し、そして基Ｒ34およびＲ35は互いに独立して炭素原子数
１ないし１２のアルキル基を表す。）で表される生成物の混合物；
ｋ）
【化１８】
2000226369.tif 000018
（式中、Ｒ36、Ｒ37、Ｒ38、Ｒ39およびＲ40は互いに独立して直接結合または炭素原子数１ないし１０のアルキレン基を表し、基Ｒ41は互いに独立して水素原子、炭素原子数１ないし８のアルキル基または炭素原子数１ないし２０のアシル基を表し、基Ｒ41の５ないし８５％は互いに独立して水素原子または炭素原子数１ないし８のアルキル基を表し、そして残りの基Ｒ41は炭素原子数１ないし２０のアシル基を表し、そしてｎ7は１ないし５０の数である。）；
ｌ）次式
【化１９】
2000226369.tif 000019
〔式中、Ｘ12、Ｘ13およびＸ14は互いに独立して次式（ＸＶ）
【化２０】
2000226369.tif 000020
（式中、Ａは式（ＩＩＩ）で表される基を表し、基Ｒ9およびＲ10の総計の５ないし８５％は互いに独立して水素原子または炭素原子数１ないし８のアルキル基を表し、そして残りの基Ｒ9およびＲ10は炭素原子数１ないし２０のアシル基を表す。）で表される基を表す。〕で表される生成物の混合物；
ｍ）次式
【化２１】
2000226369.tif 000021
（式中、基Ｒ42は互いに独立して水素原子、炭素原子数１ないし８のアルキル基または炭素原子数１ないし２０のアシル基を表し、基Ｒ42の総計の５ないし８５％は互いに独立して水素原子または炭素原子数１ないし８のアルキル基を表し、そして残りの基Ｒ42は炭素
原子数１ないし２０のアシル基を表し、
基Ｒ43*は互いに独立して炭素原子数１ないし２０のアシル基、（炭素原子数１ないし８のアルコキシ）カルボニル基、（炭素原子数５ないし１２のシクロアルコキシ）カルボニル基、（炭素原子数１ないし８のアルキル）アミノカルボニル基、（炭素原子数５ないし１２のシクロアルキル）アミノカルボニル基、（炭素原子数７ないし９のフェニルアルキル）アミノカルボニル基、炭素原子数１ないし８のアルキル基；未置換または炭素原子数１ないし４のアルキル基の１、２もしくは３個により置換された炭素原子数５ないし１２のシクロアルキル基；炭素原子数３ないし６のアルケニル基；未置換またはフェニル基上に炭素原子数１ないし４のアルキル基の１、２もしくは３個により置換された炭素原子数７ないし９のフェニルアルキル基；または−ＣＨ2ＣＮを表し、そして
Ｒ43は炭素原子数２ないし２２のアルキレン基、炭素原子数５ないし７のシクロアルキレン基、炭素原子数１ないし４のアルキレンジ（炭素原子数５ないし７のシクロアルキレン）基、フェニレン基またはフェニレンジ（炭素原子数１ないし４のアルキレン）基を表す。）で表される生成物の混合物；
ｎ）次式
【化２２】
2000226369.tif 000022
（式中、基Ｒ44は互いに独立して水素原子、炭素原子数１ないし８のアルキル基または炭素原子数１ないし２０のアシル基を表し、基Ｒ44の総計の５ないし８５％は互いに独立して水素原子または炭素原子数１ないし８のアルキル基を表し、そして残りの基Ｒ44は炭素原子数１ないし２０のアシル基を表し、
基Ｒ45は互いに独立して水素原子、炭素原子数１ないし１２のアルキル基または炭素原子数１ないし１２のアシル基を表し、そして基Ｒ46は炭素原子数１ないし１０のアルキレン基を表す。）で表される生成物の混合物；
ｏ）次式
【化２３】
2000226369.tif 000023
（式中、基Ｒ47は互いに独立して水素原子、炭素原子数１ないし８のアルキル基または炭素原子数１ないし２０のアシル基を表し、基Ｒ47の総計の５ないし８５％は互いに独立して水素原子または炭素原子数１ないし８のアルキル基を表し、そして残りの基Ｒ47は炭素原子数１ないし２０のアシル基を表す。）で表される生成物の混合物；あるいは
ｐ）
【化２４】
2000226369.tif 000024
（式中、Ｒ48およびＲ51は互いに独立して炭素原子数１ないし１０のアルキレン基を表し、基Ｒ49は互いに独立して水素原子または炭素原子数１ないし１０のアルキル基を表し、Ｒ50は炭素原子数１ないし１０のアルキル基を表し、Ｒ52は炭素原子数１ないし１０のアルキル基または式（ＩＶ）で表される基を表し、そしてｎ8は３ないし５０の数であるが、ただし基Ｒ52の少なくとも５０％が式（ＩＶ）で表される基を表し、基Ｒ10の５ないし８５％は互いに独立して水素原子または炭素原子数１ないし８のアルキル基を表し、そして残りの基Ｒ10は炭素原子数１ないし２０のアシル基を表す。）。
【請求項３】
ａ）次式
【化２５】
2000226369.tif 000025
（式中、基Ｒ1の総計の５ないし８５％は水素原子またはメチル基を表し、そして残りの基Ｒ1は炭素原子数１ないし１０のアシル基を表す。）で表される生成物の混合物；
次式
【化２６】
2000226369.tif 000026
（式中、基Ｒ1の総計の５ないし８５％は水素原子またはメチル基を表し、そして残りの基Ｒ1は炭素原子数１ないし１０のアシル基を表す。）で表される生成物の混合物；または
次式
【化２７】
2000226369.tif 000027
（式中、２個の基Ｒ*は−ＣＯＯ−Ｃ13Ｈ27を表し、そして２個の基Ｒ*は次式
【化２８】
2000226369.tif 000028
で表される基を表し、基Ｒ1の総計の５ないし８５％は水素原子またはメチル基を表し、そして残りの基Ｒ1は炭素原子数１ないし１０のアシル基を表す。）で表される生成物の混合物；
ｂ）次式（ＩＩ−ａ）
【化２９】
2000226369.tif 000029
（式中、基Ｒ9の総計の５ないし８５％は水素原子またはメチル基を表し、そして残りの基Ｒ9は炭素原子数１ないし１０のアシル基を表す。）で表される生成物の混合物；
ｃ）次式（Ｖ−ａ）
【化３０】
2000226369.tif 000030
（基Ｒ9の総計の５ないし８５％は水素原子またはメチル基を表し、そして残りの基Ｒ9は炭素原子数１ないし１０のアシル基を表す。）で表される生成物の混合物；
ｄ）次式（ＶＩ−ａ）、（ＶＩ−ｂ）、（ＶＩ−ｃ）、（ＶＩ−ｄ）または（ＶＩ−ｅ）
【化３１】
2000226369.tif 000031
【化３２】
2000226369.tif 000032
【化３３】
2000226369.tif 000033
（基Ｒ10の総計の５ないし８５％は互いに独立して水素原子またはメチル基を表し、そして残りの基Ｒ10は炭素原子数１ないし１０のアシル基を表す。）；
ｅ）次式（ＶＩＩ−ａ）
【化３４】
2000226369.tif 000034
（基Ｒ18の総計の５ないし８５％は互いに独立して水素原子またはメチル基を表し、そして残りの基Ｒ18は炭素原子数１ないし１０のアシル基を表す。）；
ｆ）次式（ＶＩＩＩａ−１）
【化３５】
2000226369.tif 000035
で表されるポリアミンと塩化シアヌル間の反応により得られる化合物と、次式（ＶＩＩＩｂ−１）で表される化合物もしくは次式（ＶＩＩＩｂ−１）および（ＶＩＩＩｂ*−１）で表される化合物
【化３６】
2000226369.tif 000036
の混合物とを反応させて中間体を製造すること（ただし式（ＶＩＩＩｂ−１）および（ＶＩＩＩｂ*−１）で表される化合物の混合物には少なくとも１５％の式（ＶＩＩＩｂ−１）で表される化合物が存在する。）；
そして続いて上記中間体に存在する次式（Ａ−１−ａ）
【化３７】
2000226369.tif 000037
で表される基をある比率でアシル化して、式（Ａ−１−ａ）、次式（Ａ−１−ｂ−１）および（Ａ−２−１）
【化３８】
2000226369.tif 000038
の総計に関して、式（Ａ−２−１）で表される基を１５ないし９５％、ならびに式（Ａ−１−ａ）および／または（Ａ−１−ｂ−１）で表される基を５ないし８５％含む生成物を得ること；により得られる生成物；
ｇ）次式（ＩＸ−ａ）、（ＩＸ−ｂ）または（ＩＸ−ｃ）
【化３９】
2000226369.tif 000039
【化４０】
2000226369.tif 000040
（式中、基Ｒ10およびＲ22の５ないし８５％は互いに独立して水素原子またはメチル基を
表し、そして残りの基Ｒ10およびＲ22は炭素原子数１ないし１０のアシル基を表す。）；
ｈ）次式（Ｘ−ａ）
【化４１】
2000226369.tif 000041
（式中、基Ｒ30の総計の５ないし８５％は水素原子またはメチル基を表し、そして残りの基Ｒ30は炭素原子数１ないし１０のアシル基を表す。）で表される生成物の混合物；
ｉ）式（ＸＩ）（式中、基Ｒ31の総計の５ないし８５％は互いに独立して水素原子またはメチル基を表し、そして残りの基Ｒ31は炭素原子数１ないし１０のアシル基を表す。）；
ｊ）次式（ＸＩＩ−ａ）
【化４２】
2000226369.tif 000042
（式中、基Ｒ32の総計の５ないし８５％は水素原子またはメチル基を表し、そして残りの基Ｒ32は炭素原子数１ないし１０のアシル基を表す。）で表される生成物の混合物；
ｋ）次式（ＸＩＩＩ−ａ）
【化４３】
2000226369.tif 000043
（式中、基Ｒ41の総計の５ないし８５％は互いに独立して水素原子またはメチル基を表し、そして残りの基Ｒ41は炭素原子数１ないし１０のアシル基を表す。）；
ｌ）次式（ＸＩＶ−ａ）
【化４４】
2000226369.tif 000044
（式中、基Ｒ9の総計の５ないし８５％は水素原子またはメチル基を表し、そして残りの基Ｒ9は炭素原子数１ないし１０のアシル基を表す。）で表される生成物の混合物；
ｍ）次式（ＸＶＩ−ａ）
【化４５】
2000226369.tif 000045
（式中、基Ｒ42の総計の５ないし８５％は水素原子またはメチル基を表し、そして残りの基Ｒ42は炭素原子数１ないし１０のアシル基を表し；そして基Ｒ43*は炭素原子数１ないし１０のアシル基を表す。）で表される生成物の混合物；
ｎ）次式（ＸＶＩＩ−ａ）
【化４６】
2000226369.tif 000046
（式中、基Ｒ44の総計の５ないし８５％は水素原子またはメチル基を表し、そして残りの基Ｒ44は炭素原子数１ないし１０のアシル基を表す。）で表される生成物の混合物；
ｏ）式（ＸＶＩＩＩ）（式中、基Ｒ47の総計の５ないし８５％は水素原子またはメチル基を表し、そして残りの基Ｒ47は炭素原子数１ないし１０のアシル基を表す。）で表される生成物の混合物；あるいは
ｐ）次式（ＸＩＸ−ａ）
【化４７】
2000226369.tif 000047
（式中、基Ｒ52は互いに独立してエチル基または式（ＩＶ）で表される基を表すが、ただし（１）基Ｒ52の少なくとも５０％が式（ＩＶ）（式中、Ｒ10は水素原子、メチル基また
は炭素原子数１ないし１０のアシル基を表す。）で表される基を表し、残りのＲ52はエチル基を表し、そして（２）基Ｒ10の総計の５ないし８５％は水素原子またはメチル基を表し、そして残りの基Ｒ10は炭素原子数１ないし１０のアシル基を表す。）；に相当する請求項１記載の生成物。
【請求項４】
光、熱または酸化により誘導される分解を受けやすい有機材料および請求項１記載の生成物を含む組成物。
【請求項５】
上記有機材料がポリカーボネートまたはポリカーボネート／グラフトコポリマーブレンドであり、かつ付加的に顔料を含む請求項４記載の組成物。
【請求項６】
上記有機材料がポリカーボネートまたはポリカーボネート／グラフトコポリマーブレンドであり、かつ付加的に紫外線吸収剤を含む請求項４記載の組成物。